(57)【要約】【課題】上階と下階とを仕切る床部分を介して通風や採光を行うことができると共に、上階の居室空間における落ち着いた雰囲気を保持することのできる通気・採光用床構造を提供する。【解決手段】２階建て以上の建物において、上階と下階とを仕切る床部分１１の少なくとも一部に設けられて、上階と下階との間の通気及び／又は採光を得るようにした通気・採光用床構造であって、上面が平坦な棒状床材１３を２〜１０ｍｍの間隔をおいて多数平行に配置することによって構成され、棒状床材は、上底部１４ａを下方に向けて配置した等脚台形状部分１５を含んだ断面形状を備える。また、棒状床材１３の上面を木質感の高い色調の仕上げ面とし、上面より下方の等脚台形状部分１５を明るい色調の仕上げ面とする。【選択図】図１
2007224499.tif 000002
【特許請求の範囲】
【請求項１】
２階建て以上の建物において、上階と下階とを仕切る床部分の少なくとも一部に設けられて、上階と下階との間の通気及び／又は採光を得るようにした通気・採光用床構造であって、
上面が平坦な棒状床材を２〜１０ｍｍの間隔をおいて多数平行に配置することによって構成され、前記棒状床材は、上底部又は頂角部を下方に向けて配置した等脚台形状部分又は二等辺三角形状部分を含んだ断面形状を備える通気・採光用床構造。
【請求項２】
前記棒状床材の上面を木質感の高い色調の仕上げ面とし、上面より下方の前記等脚台形状部分又は前記二等辺三角形状部分を明るい色調の仕上げ面とする請求項１記載の通気・採光用床構造。
【請求項３】
多数平行に配置された前記棒状床材を下階側から覆って、隣接する前記棒状床材の間の隙間を介して通気が可能な状態と、通気が遮断された状態とを切換える通気切換えダンパーが設けられている請求項１又は２に記載の通気・採光用床構造。
【請求項４】
多数平行に配置された前記棒状床材を下階側から覆って、隣接する前記棒状床材の間の隙間を介して採光が可能な状態と、採光が遮断された状態とを切換える採光切換えダンパーが設けられている請求項１〜３のいずれかに記載の通気・採光用床構造。
【発明の詳細な説明】
【技術分野】
【０００１】
本発明は、通気・採光用床構造に関し、特に、上階と下階とを仕切る床部分の少なくとも一部に設けられて、上階と下階との間の通気及び／又は採光を得るようにした通気・採光用床構造に関する。
【背景技術】
【０００２】
２階建て以上の建物として、例えば複数階の住宅建築物では、屋内への通風や採光は、一般に外壁面に設けられた窓等を介して行われる。また、屋根面を有する最上階の居住空間の場合には、屋根面に天窓を設けて通風や採光を行うこともある。
【０００３】
一方、狭小な敷地に建てられた住宅建築物や、隣家に近接して建てられた住宅建築物の場合、窓等を開放しても、特に下階部分の居住空間に十分な通風や採光を採れないことが多く、またプライバシーの問題等から、窓等を開放しておくことが困難なことも多い。さらに、天窓を設けても、最上階の床部分に遮られて、下階の居住空間まで通風や採光を送り込むことは困難である。さらにまた、下階の天井部分でもある上階の床部分に遮られて、下階の居住空間から上階の居住空間に光や通気を送り出すことも困難である。
【０００４】
このようなことから、上階と下階とを仕切る床部分を介して採光を行えるうようにした技術も開発されている（例えば、特許文献１参照）。
【特許文献１】特開平１０−１８４０４１号公報
【発明の開示】
【発明が解決しようとする課題】
【０００５】
上記特許文献１に記載の床構造は、建物の上下の階を貫通して設けた吹抜け空間の上方部分を、生活空間としても利用できるようにするために設けられたものであり、吹抜け空間としての機能も保持できるように、床面の全体を投光性材料により形成して、吹抜け空間の上方部分を画成したものである。このような投光性材料を、例えば上階の居室空間と下階の居住空間とを仕切る床部分の構成材料として用いた場合、特に上階の居室空間においては、透明材料では下階からの視線が気になり、また半透明や不透明の投光性材料を用いても、床面の投光性材料が設けられた部分によって、落ち着きのない雰囲気を与えることになる。
【０００６】
本発明は、このような従来の課題に着目してなされたものであり、上階と下階とを仕切る床部分を介して通風や採光を行うことができると共に、上階の居室空間における落ち着いた雰囲気を保持することのできる通気・採光用床構造を提供することを目的とする。
【課題を解決するための手段】
【０００７】
本発明は、２階建て以上の建物において、上階と下階とを仕切る床部分の少なくとも一部に設けられて、上階と下階との間の通気及び／又は採光を得るようにした通気・採光用床構造であって、上面が平坦な棒状床材を２〜１０ｍｍの間隔をおいて多数平行に配置することによって構成され、前記棒状床材は、上底部又は頂角部を下方に向けて配置した等脚台形状部分又は二等辺三角形状部分を含んだ断面形状を備える通気・採光用床構造を提供するすることにより、上記目的を達成したものである。
【０００８】
また、本発明の通気・採光用床構造は、前記棒状床材の上面を木質感の高い色調の仕上げ面とし、上面より下方の前記等脚台形状部分又は前記二等辺三角形状部分を明るい色調の仕上げ面とすることが好ましい。
【０００９】
さらに、本発明の通気・採光用床構造は、多数平行に配置された前記棒状床材を下階側から覆って、隣接する前記棒状床材の間の隙間を介して通気が可能な状態と、通気が遮断された状態とを切換える通気切換えダンパーが設けられていることが好ましい。
【００１０】
さらにまた、本発明の通気・採光用床構造は、多数平行に配置された前記棒状床材を下階側から覆って、隣接する前記棒状床材の間の隙間を介して採光が可能な状態と、採光が遮断された状態とを切換える採光切換えダンパーが設けられていることが好ましい。
【発明の効果】
【００１１】
本発明の通気・採光用床構造によれば、上階と下階とを仕切る床部分を介して通風や採光を行うことができると共に、上階の居室空間における落ち着いた雰囲気を保持することができる。
【発明を実施するための最良の形態】
【００１２】
図１〜図３に示す本発明の好ましい一実施形態に係る通気・採光用床構造１０は、例えば２階建ての住宅建築物において、１階の居住空間と２階の居住空間とを仕切る床部分１１の一部として、袖壁１２に沿って例えば０．５〜２ｍ程度の幅で設けられ、１階と２階との間の通風を可能にすると共に、例えば２階の居住空間に取り込まれた太陽光を１階の居住空間に採光できるようにし、また例えば夜間においては１階の居住空間の照明光を２階の居住空間に採光できるようにするものである。
【００１３】
すなわち、本実施形態の通気・採光用床構造１０は、２階と１階とを仕切る床部分１１の少なくとも一部に設けられて、２階と１階との間の通気及び／又は採光を得るようにした床構造であって、上面が平坦な棒状床材１３を２〜１０ｍｍの間隔２１をおいて多数平行に配置することによって構成され、棒状床材１３は、上底部１４ａを下方に向けて配置した等脚台形状部分１５を含んだ断面形状を備えている。
【００１４】
本実施形態では、２階と１階とを仕切る床部分１１は、図３に示すように、２階と１階との間に配置された骨組み用の横架材である梁部材１６に支持させて、例えば２４ｍｍの厚さの剛床パネル１７を敷設すると共に、この剛床パネル１７の上面に例えば１２．５ｍｍの厚さのシージングせっこうボード１８を敷設し、さらにシージングせっこうボード１８の上面に、床材として例えば１２ｍｍの厚さのフローリング材１９を敷設することによって構成されている。
【００１５】
そして、本実施形態では、棒状床材１３は、床部分１１における通気・採光用床構造１０の配設領域に応じた形状を有する矩形枠２０に両端を支持固定された状態で、上面にスリット状の間隔２１を保持しつつ、当該矩形枠２０の内側に多数平行に配置されて取り付けられる。棒状床材１３は、この矩形枠２０と一体となって、袖壁１２に沿って床部分１１に開口形成した取付け用の開口に嵌め込むようにして設置され、矩形枠２０を介して梁部材１６等に支持固定されることになる。
【００１６】
また、棒状床材１３は、好ましくは木製の無垢材からなり、例えば上底部１４ａの幅が３０ｍｍ、下底部１４ｂの幅が５２．５ｍｍ、高さが６０ｍｍの、上底部１４ａが下方に向けて配置された倒立状態の等脚台形状の断面形状を備えることにより、その全体が等脚台形状部分１５となっている。
【００１７】
さらに、棒状床材１３は、歩行のし易さや、物の落下を考慮すると共に、所望の通気や採光が得られるように、２〜１０ｍｍの間隔２１をおいて多数平行に配置される。特に、歩行のし易さ、物の落下防止、通気や採光の観点から、棒状床材１３の間隔は、４〜６ｍｍとすることが好ましい。
【００１８】
さらにまた、棒状床材１３は、木製の無垢材からなることにより、その平坦な上面に木質感の高い色調の仕上げ面を容易に形成することができ、これによって、周囲の床部分１１のフローリング材１９による仕上げ面と相俟って、２階の居住空間に重量感を持たせると共に、心理的な安心感を与えることが可能になる。一方、天井面として１階から見える、棒状床材１３の上面より下方の斜面部分及び下面は、好ましくは例えば塗料を塗布したり被覆材で覆うことにより、明るい色調の仕上げ面とすることができ、これによって１階の居住空間に圧迫感を与えないようにすることが可能になる。
【００１９】
なお、棒状床材１３は、木製の無垢材の他、例えば鋼材を補強用の芯材とし、これの周囲を板部材や合成樹脂材料で覆って、等脚台形状部分１５を含む所望の断面形状に形成したもの等を用いることもできる。この場合にも、棒状床材１３の上面を木質感の高い色調の仕上げ面とし、上面より下方の等脚台形状部分を明るい色調の仕上げ面とすることが好ましい。また、棒状床材１３は、上底部１４ａを下方に向けて配置した倒立状態の等脚台形状の断面形状の他、例えば図４に示すように、等脚台形状部分１５を含む断面形状として、ホームベース形状の下端頂部をカットした６角断面形状とすることもでき、頂角部を下方に向けて配置した二等辺三角形状や二等辺三角形状を含んだ断面形状とすることもできる。図４に示す６角断面形状の棒状床材１３を用いる場合、スリット状の間隔２１の幅と垂直部分２２の高さの比率は、２階側から明るい色調に仕上げた傾斜面２３が見えないように、傾斜面２３の勾配等を鑑みて適宜調整することが好ましい。
【００２０】
そして、上述の構成を備える本実施形態の通気・採光用床構造１０によれば、２階と１階とを仕切る床部分１１の一部として設置されて、当該床部分１１を介して通風や採光を行うことを可能にすると共に、２階の居室空間における落ち着いた雰囲気を保持することが可能になる。すなわち、本実施形態によれば、通気・採光用床構造１０は、上面が平坦な棒状床材１３を２〜１０ｍｍの間隔２１をおいて多数平行に配置することによって構成され、棒状床材１３は、上底部１４ａを下方に向けた等脚台形状部分１５を含んだ断面形状を備えるので、歩行のし易さや、物の落下防止を図りつつ、多数のスリット状の間隔２１を介して通気や採光を効果的に得ることができ、暗くなりがちな１階の居住空間において、明るい開放的な空間を確保できると共に、２階と１階との間の通風によって自然な風を感じることが可能になる。また、２階の床面に、採光のための透明、半透明、又は不透明の投光性材料を用いる必要がないので、２階の居室空間に落ち着いた雰囲気を保持できると共に、棒状床材１３の上面を木質感の高い色調の仕上げ面とすることにより、さらに重量感や安心感を与えることが可能になる。
【００２１】
さらに、本実施形態では、隣接する棒状床材１３間の隙間２４の幅は、傾斜面を介して下部が広く、上部が狭くなっているので、１階から２階に向かう通気が通過する際の抵抗が、垂直面によって挟まれる２〜１０ｍｍの等幅間隔の隙間の場合と比較して小さくなるので、より多くの通気を１階から２階にスムーズに送り出すことが可能になる。また２階から１階に向かう光は、垂直面によって挟まれる２〜１０ｍｍの等幅間隔の隙間の場合と比較して、下方に拡散しやすくなるので、より効率良く１階に採光することが可能になる。
【００２２】
さえらにまた、棒状床材１３は、垂直方向の対称軸に対して対称な断面形状を有しているので、荷重が上面から負荷された際に、荷重を受ける部分に均等に力が分散して、受け材（矩形枠２０）の局所的な荷重の負担を小さくすることが可能になる。また棒状床材１３は、それ自体に上下の撓みを生じるが、対称な断面形状となっていることにより、片側に負担が集中しないので、ねじれを生じることがない。これによって、隣接する棒状床材１３の上面において段差が生じなくなるので、歩行時に違和感を生じることがなく、安全性をさらに向上させることも可能になる。
【００２３】
図５は、本発明の他の実施形態に係る通気・採光用床構造５０を示すものである。図５に示す通気・採光用床構造５０は、上記実施形態の通気・採光用床構造１０の構成に加えて、多数平行に配置された棒状床材１３を１階側から覆って、隣接する棒状床材１３の間の隙間２４を介して通気が可能な状態と、通気が遮断された状態とを切換える通気切換えダンパー２５と、多数平行に配置された棒状床材１３を１階側から覆って、隣接する棒状床材１３の間の隙間２４を介して採光が可能な状態と、採光が遮断された状態とを切換える採光切換えダンパー２６とが設けられている。
【００２４】
本他の実施形態では、通気切換えダンパー２５と採光切換えダンパー２６は、例えば図６に示すように、カバー体形状に形成された透光性材料からなる通気切換えダンパー２５に、梯子状に形成された不透光性材料からなる採光切換えダンパー２６がスライド移動可能に挿入されることにより、これらが一体となって棒状床材１３の下方に設置される。また、通気切換えダンパー２５は、例えば矩形枠２０に設けられた受け部材としての段差案内レール部（図示せず。）に沿ってスライド移動可能に配設されることにより、通気切換えダンパー２５及び採光切換えダンパー２６は、棒状床材１３が多数並べられた方向Ｘに各々スライド移動可能に取り付けられる。
【００２５】
ここで、通気切換えダンパー２５の上面板２７には、棒状床材１３の等脚台形状部分１５の上底部１４ａの幅と略同様の幅を有する上側矩形開口２８が、棒状床材１３の等脚台形状部分１５の上底部１４ａの幅と略同様の間隔をおいて多数開口形成されている。また、採光切換えダンパー２６は、複数の通気貫通孔３３が開口形成された一対の横棒２９を一組３０とし、各組３０の横棒２９を、棒状床材１３の等脚台形状部分１５の上底部１４ａの幅と略同様の間隔をおいて配置することによって構成され、一対の横棒２９による各組３０の間の間隔部分が、下側矩形開口３１を形成すると共に、各組の一対の横棒２９の間の部分は、遮光板３２によって閉塞される。
【００２６】
なお、採光切換えダンパー２６の遮光板３２の上面や、横棒２９に開口形成された通気貫通孔３３の内面を、例えば無反射材を用いて仕上げておくことにより、隣接する棒状床材１３の間の隙間２４を採光切換えダンパー２６で下方から覆って採光を遮断した際に、光をさらに漏れ難くすることが可能になる。また、スライド可能に一体化された通気切換えダンパー２５と採光切換えダンパー２６との間の隙間を、例えばパッキンモール材を用いてスライド可能に閉塞しておくことにより、光をさらに漏れ難くすることが可能になる。
【００２７】
上述の構成を備える本他の実施形態の通気・採光用床構造５０では、上記実施形態の通気・採光用床構造１０と同様の構成を備えることにより、上記実施形態の通気・採光用床構造１０と同様の作用効果が奏される他、例えば通気切換えダンパー２５から下方に突出して設けられた操作ハンドル部２５ａ（図６参照）や、採光切換えダンパー２６から下方に突出して設けられた操作ハンドル部２６ａ（図６参照）を用いたスライド操作によって、通気切換えダンパー２５や採光切換えダンパー２６を、棒状床材１３が多数並べられた方向Ｘに必要に応じて適宜スライド移動させ、隣接する棒状床材１３の間の隙間２４を介して通気及び採光が可能な状態と、通気が遮断された状態と、採光が遮断された状態と、通気及び採光が遮断された状態とに容易に切り換えることが可能になる。
【００２８】
すなわち、例えば図５に示す通気切換えダンパー２５の上側矩形開口２８と採光切換えダンパー２６の下側矩形開口３１が、共に隣接する棒状床材１３の間の隙間２４の下方に配置されて、通気及び採光が可能な状態から、通気切換えダンパー２５のみをスライド移動させることにより、図７（ａ）に示すように、通気切換えダンパー２５の上面板２７の上側矩形開口２８が形成されていない部分を隙間２４の下方に配置させて、透光性材料からなる通気切換えダンパー２５の上面板２７を介して採光を行いつつ、通気を遮断した状態に容易に切り換えることが可能なる。また、例えば図５に示す状態から、採光切換えダンパー２６のみをスライド移動させることにより、図７（ｂ）に示すように、採光切換えダンパー２６の遮光板３２を隙間２４の下方に配置させて、上側矩形開口２８及び横棒２９の通気貫通孔３３を介して通気を行いつつ、採光を遮断した状態に容易に切り換えることが可能なる。さらに、例えば図５に示す状態から、通気切換えダンパー２５及び採光切換えダンパー２６をスライド移動させることにより、図７（ｃ）に示すように、通気切換えダンパー２５の上面板２７の上側矩形開口２８が形成されていない部分及び採光切換えダンパー２６の遮光板３２を隙間２４の下方に配置させて、通気及び採光を遮断した状態に容易に切り換えることが可能なる。
【００２９】
なお、本発明は上記実施形態に限定されることなく種々の変更が可能である。例えば、本発明の通気・採光用床構造は、２階建ての住宅建築物に限定されることなく、その他の種々の複数階の建物において、上階と下階との間の通気や採光を図るべく採用することができる。また、棒状床材の上面を木質感の高い色調の仕上げ面とし、上面より下方の等脚台形状部分又は二等辺三角形状部分を明るい色調の仕上げ面とする必要は必ずしもない。さらに、通気切換えダンパーと採光切換えダンパーを一体として取り付ける必要は必ずしもなく、いずれか一方のみを取り付けて用いることもできる。
【図面の簡単な説明】
【００３０】
【図１】本発明の好ましい一実施形態に係る通気・採光用床構造が設けられた床部分を例示する略示斜視図である。
【図２】本発明の好ましい一実施形態に係る通気・採光用床構造の平面図である。
【図３】本発明の好ましい一実施形態に係る通気・採光用床構造の構成を説明する、図２のＡ−Ａに沿った一部破断断面図である。
【図４】棒状床材の他の形態を例示する断面図である。
【図５】本発明の好ましい他の実施形態に係る通気・採光用床構造の構成を説明する一部破断断面図である。
【図６】通気切換えダンパー及び採光切換えダンパーを例示する一部破断斜視図である。
【図７】（ａ）は通気切換えダンパー及び採光切換えダンパーを用いて通気を遮断した状態を説明する要部略示断面図、（ｂ）は採光を遮断した状態を説明する要部略示断面図、（ｃ）は通気及び採光を遮断した状態を説明する要部略示断面図である。
【符号の説明】
【００３１】
１０  通気・採光用床構造
１１  床部分
１３  棒状床材
１４ａ  等脚台形状部分の上底部
１４ｂ  等脚台形状部分の下底部
１５  等脚台形状部分
２０  矩形枠
２１  上面における棒状床材の間隔
２４  隣接する棒状床材の間の隙間
２５  通気切換えダンパー
２６  採光切換えダンパー
Ｘ    棒状床材が多数並べられた方向
【図１】
2007224499.tif 000003
【図２】
2007224499.tif 000004
【図３】
2007224499.tif 000005
【図４】
2007224499.tif 000006
【図５】
2007224499.tif 000007
【図６】
2007224499.tif 000008
【図７】
2007224499.tif 000009